(57)【要約】【課題】  攪拌槽内で発酵させた家畜用飼料を乾燥させる際に、攪拌槽の内壁面に飼料が付着するのを防止して、雑菌の繁殖を効果的に抑えることのできる攪拌装置を提供することである。【解決手段】  攪拌槽３と、この攪拌槽３内で回転する攪拌部材４とを備え、この攪拌部材４の先端部には揺動可能な攪拌部２１が設けられ、前記攪拌部材４の回転時には前記攪拌部２１が攪拌槽３の内壁面５に接触する。その際、攪拌槽３の内壁面５に対して攪拌部２１が前後左右に自由に動きながら接触することができるので、発酵飼料の付着を効果的に防ぐことができ、また、内壁面５に一旦付着した発酵飼料も効果的に叩き落とすことができる。【選択図】      図２
2006142127.tif 000002
【特許請求の範囲】
【請求項１】
攪拌槽と、この攪拌槽内で回転する攪拌部材とを備え、
前記攪拌部材の先端部には揺動可能な攪拌部が設けられ、攪拌部材の回転時には前記攪拌部が攪拌槽の内壁面に接触することを特徴とする攪拌装置。
【請求項２】
前記攪拌部が、攪拌部材の先端部に設けられるシャフトと、このシャフトに遊嵌される長孔が設けられた揺動板と、この揺動板に回転可能に取り付けられた回転体とを備え、前記攪拌部材の回転時には前記回転体が攪拌槽の内壁面に接触する請求項１記載の攪拌装置。
【請求項３】
前記攪拌部が、攪拌部材の先端部に設けられた支持板と、この支持板に両端が固定された弛みを有するチェーンとを有し、前記攪拌部材の回転時には前記チェーンが攪拌槽の内壁面に接触する請求項１記載の攪拌装置。
【発明の詳細な説明】
【技術分野】
【０００１】
本発明は、攪拌槽とその内部で回転する攪拌部材とを備える攪拌装置に係り、特に豚や鶏などの家畜に与えるための混合飼料を作るのに最適な攪拌装置に関するものである。
【背景技術】
【０００２】
従来から家畜の混合飼料を作る手段として、種類の異なる複数の飼料を攪拌装置によって混合する方法が知られている（特許文献１参照）。この種の攪拌装置は、攪拌槽と、この攪拌槽内で回転する攪拌部材とを備え、攪拌槽内に投入した複数の飼料を攪拌部材の回転によって攪拌し、複数の飼料を互いに混合させることで混合飼料を作るものである。
【０００３】
ところで、最近では栄養分の異なる複数の飼料を単純に混ぜ合わせるだけでなく、攪拌槽内で発酵させて発酵飼料として取り出す方法なども知られている。しかしながら、発酵飼料の場合には発酵させる過程で飼料がべとついてしまうため、熟成させたのちに飼料を乾燥させる必要がある。この乾燥工程は攪拌槽全体をヒータで加熱すると同時に攪拌槽内で攪拌部材を再び回転させることで混合飼料を乾燥させるものであるが、飼料がべとついているために攪拌部材で攪拌したときに攪拌槽の内壁面に飼料が付着してそのまま残ってしまうことがあり、雑菌が繁殖する原因にもなっていた。
【０００４】
従来、攪拌部材の先端部分に弾性材を取り付けて、回転させたときに弾性材を攪拌槽の内壁面に強く接触させて付着物を掻き落すように構成された攪拌装置が知られている（特許文献２参照）。しかしながら、このような攪拌装置では攪拌槽の内壁面に弾性材を強く接触させているために、弾性材の磨耗が激しく、頻繁に取り換える必要がある。また、弾性材は固定されているために、隣り合う弾性材同士の隙間部分に付着している飼料は掻き落とすことができず、そのまま残ってしまうといった問題もあった。
【特許文献１】特開平８−８０４２８号
【特許文献２】特開２００４−１７０２６号
【発明の開示】
【発明が解決しようとする課題】
【０００５】
そこで、本発明が解決しようとする課題は、攪拌槽の内壁面に飼料が付着するのを効果的に防止すると共に、付着した飼料は素早く且つ確実に掻き取るようにし、さらに、攪拌部材を取り換える必要のない攪拌装置を提供することである。
【課題を解決するための手段】
【０００６】
かかる目的を達成するために、本発明に係る飼料攪拌装置は、攪拌槽と、この攪拌槽内で回転する攪拌部材とを備え、前記攪拌部材の先端部には揺動可能な攪拌部が設けられ、攪拌部材の回転時には前記攪拌部が攪拌槽の内壁面に接触することを特徴とする。
【０００７】
ここで、前記攪拌装置の攪拌部は、一つの例では攪拌部材の先端部に設けられるシャフトと、このシャフトに遊嵌される長孔が設けられた揺動板と、この揺動板に回転可能に取り付けられた回転体とを備え、他の例では攪拌杆の先端部に設けられた支持板と、この支持板に両端が固定された弛みを有するチェーンとを有し、前記攪拌部材の回転時には前記回転体またはチェーンが攪拌槽の内壁面に接触する。
【発明の効果】
【０００８】
本発明は、上記の構成よりなるので、攪拌槽の内壁面に飼料が付着しにくく、また付着した飼料は素早く且つ確実に取り除くことができるので、攪拌槽内で雑菌が繁殖することがない。さらに、攪拌槽の内壁面に攪拌部材を強く接触させる構造とはなっていないので、磨耗による攪拌部材の取り換えの必要がない。
【発明を実施するための最良の形態】
【０００９】
以下、添付図面に基づいて、本発明に係る飼料攪拌装置の実施形態を詳細に説明する。図１乃至図９は、本発明に係る飼料攪拌装置の第１の実施形態を示したものである。図１乃至図３には飼料攪拌装置１の全体構造が示されており、フレーム２に両端部が保持された円筒形状の攪拌槽３と、この攪拌槽３内に配設された攪拌部材４とを備える。攪拌槽３は筒状の側壁面６と前後壁面７ａ，７ｂとで密閉された円筒体を構成し、内部に飼料の攪拌室を形成している。側壁面６の一側部には蓋体８によって開閉される原料飼料の投入口９が設けられ、側壁面６の下部にはやはり蓋体１０によって開閉する混合飼料の取出口（図示せず）が設けられている。前記攪拌槽３の内部には前後壁面７ａ，７ｂの各軸受部１１ａ，１１ｂに両端が支持された回転軸１２が配設される。そして、この回転軸１２の一端から駆動軸１３が延び、この駆動軸１３と歯車機構１４によって連結されるモータ１５からの駆動力によって回転軸１２を回転させる構造となっている。
【００１０】
この実施形態において、前記回転軸１２は攪拌槽３の略中心軸上で回転し、この回転軸１２の周囲に前記攪拌部材４が取り付けられている。攪拌部材４は、回転軸１２の軸方向に沿って複数配設されており、隣接する攪拌部材４とは回転軸１２の円周方向に９０度ずつ角度をずらせて取り付けられている。これらの攪拌部材４は、棒状の腕部２０と、その先端部に取り付けられた攪拌部２１とからなる。この実施形態において前記攪拌部２１は、図４及び図５に示されるように、前記腕部２０の先端に固定される一対のシャフト２２ａ，２２ｂと、このシャフト２２ａ，２２ｂに遊嵌される複数の揺動板２３とからなる。前記シャフト２２ａ，２２ｂは、腕部２０に対して直交する方向に延び、その両端には前記揺動板２３の脱落を防止するためのストッパ２４が取り付けられる。一方、前記揺動板２３は楕円形状をした薄い金属板からなる。そして、前記二本のシャフト２２ａ，２ｂに遊嵌される長孔２５が設けられると共に、先端部分には前記攪拌槽３の内壁面５に接触する回転体としてのローラ２６が回転可能に取り付けられている。このローラ２６は、攪拌槽３の内壁面５を傷つけないように、内壁面５より軟らかい材料で作られており、例えばデルリン（商標名）などのアセタール樹脂やポリアミド樹脂などのエンジニアリングプラスチックが使用される。
【００１１】
図５に示されるように、前記揺動板２３に開設された長孔２５の長径寸法Ｌ１は、２本のシャフト２２ａ，２２ｂの外側寸法Ｌ２より長く、また長孔２５の短径寸法は、シャフト２２ａ，２２ｂの直径寸法より大きい。そのため、揺動板２３は図６に示したように、矢印Ａ方向に対して長孔２５の範囲内で自由に動きうることができ、また、図７に示したように、シャフト２２ａ，２２ｂと平行な矢印Ｂ方向に対しても自由に動きうる他、図８に示したように、矢印Ｃ方向のように揺れ動くこともできる。実際には前記Ａ，Ｂ，Ｃ方向の動きが絡み合って動きうる。
【００１２】
なお、この実施形態では前記構成からなる攪拌部材４の反対側にも腕部２０ａが延びている。この腕部２０ａの先端には前述したような攪拌部２１は設けられていないが、攪拌のために補助的な働きをする。また、前述したように、攪拌部材４は、回転軸１２の円周方向に９０度ずつ角度をずらせて順に取り付けられているが、隣同士の攪拌部２１は隙間なく配置されているので、回転させた時には攪拌槽３の内壁面５の全体を攪拌部２１でカバーすることができる。
【００１３】
次に、上記構成からなる飼料攪拌装置１の作用について説明する。先ず、攪拌槽３の蓋体８を開き、栄養分の異なる複数の飼料、例えば米ぬかとおからを所定量ずつ投入口９から攪拌室に投入する。その際、飼料の発酵を促すための微生物を一緒に加える。飼料等の投入が完了したら蓋体８を閉め、次いで回転軸１２を駆動して攪拌部材４を回転させる。この回転によって攪拌部材４の先端部に設けられた攪拌部２１のローラ２６が攪拌槽３の内壁面５に当りながら飼料を掻き上げ、掻き上げられた飼料は攪拌部２１が上方まで回転したときに落下する。このようにして、複数の飼料は掻き上げと落下を繰り返しながら互いに混合すると同時に飼料の発酵が進み、攪拌槽３内の温度も徐々に上昇するので、所定時間攪拌したところで攪拌部材４の回転を止める。そして、一晩又は二晩程度その状態を保ち、飼料を熟成させて飼料の隅々まで十分な発酵を促す。
【００１４】
飼料が十分に熟成した後に再び攪拌部材４を回転させ、水分を含んだ飼料を攪拌させながら乾燥させ飼料取出口から家畜用の混合飼料として取り出す。その際、乾燥を促進するために攪拌槽３をヒータなどで加熱するのが望ましい。
【００１５】
前述と同様、攪拌部材４が再び回転することによって、発酵飼料は攪拌部材４の先端部に設けられた攪拌部２１によって攪拌槽３の内壁面５に沿って掻き上げられるが、攪拌部材４を速いスピードで回転させることで、その遠心力によってローラ２６が攪拌槽３の内壁面５に当たりながら回転する。その際、図９に示したように、内壁面５に対してローラ２６は所定の範囲内で前後左右に自由に動き得る逃げ代を持って接触することができるので、ローラ２６の磨耗を効果的に防ぐことが出来る。また、遠心力によってローラ２６は内壁面５を連続的に小さく叩きながら接していくので、発酵飼料の付着を効果的に防ぐと共に、内壁面５に一旦付着した飼料２７も効果的に叩き落とすことができる。
【００１６】
図１０乃至図１３は、本発明に係る飼料攪拌装置の第２の実施形態を示したものである。この実施形態では攪拌部材３０の先端に設けられた攪拌部３１の構成が第１の実施形態とは異なったものとなっている。即ち、腕部３２の先端部には直交する方向に平板状の支持板３３が設けられ、この支持板３３の前面にチェーン３４が配設された構成となっている。チェーン３４は少し弛んだ状態でその両端が支持板３３の両側に固定されている。チェーン３４は、前記実施形態におけるローラ２６と同様の材質で作ることが出来る。なお、攪拌部材３０の先端にチェーン３４が設けられている以外は、前記第１の実施形態と同じ構成からなるので、詳細な説明は省略する。
【００１７】
したがって、前記構成からなる攪拌部材３０にあっては、チェーン３４が弛みを持っているために、回転軸１２を駆動して攪拌部材３０を速く回転させると、その遠心力によってチェーン３４が張られ、攪拌槽３の内壁面５をチェーン３４が叩きながら接触し、図１３に示したように、内壁面５に付着している飼料２７を効果的に叩き落とすことができる。また、攪拌部材３０による飼料の掻き上げは、腕部３２の先端部に設けられた支持板３３とチェーン３４とによって十分になされる。
【００１８】
なお、上記の実施形態ではいずれも飼料の攪拌装置として説明したが、本発明を生ゴミなど飼料以外の攪拌にも適用できること勿論である。
【図面の簡単な説明】
【００１９】
【図１】本発明の第１実施形態に係る攪拌装置の全体形状を示す斜視図である。
【図２】前記攪拌装置の内部構造を示す断面図である。
【図３】回転軸に取り付けられた攪拌部材を示す斜視図である。
【図４】攪拌部材の構造を示す斜視図である。
【図５】攪拌部材の正面図である。
【図６】攪拌部の矢印Ａ方向の動きを示す部分拡大図である。
【図７】攪拌部の矢印Ｂ方向の動きを示す部分拡大図である。
【図８】攪拌部の矢印Ｃ方向の動きを示す部分拡大図である。
【図９】攪拌部のローラが自由に動きながら内壁面の付着物を落とす状態を示す説明図である。
【図１０】本発明の第２実施形態に係る回転軸に取り付けられた攪拌部材を示す斜視図である。
【図１１】攪拌部材の構造を示す斜視図である。
【図１２】攪拌部材の正面図である。
【図１３】攪拌部のチェーンが自由に動きながら内壁面の付着物を落とす状態を示す説明図である。
【符号の説明】
【００２０】
１  飼料攪拌装置
３  攪拌槽
４  攪拌部材
５  内壁面
２１  攪拌部
２２  シャフト
２３  揺動板
２５  長孔
２６  ローラ（回転体）
３０  攪拌部材
３１  攪拌部
３３  支持板
３４  チェーン
【図１】
2006142127.tif 000003
【図２】
2006142127.tif 000004
【図３】
2006142127.tif 000005
【図４】
2006142127.tif 000006
【図５】
2006142127.tif 000007
【図６】
2006142127.tif 000008
【図７】
2006142127.tif 000009
【図８】
2006142127.tif 000010
【図９】
2006142127.tif 000011
【図１０】
2006142127.tif 000012
【図１１】
2006142127.tif 000013
【図１２】
2006142127.tif 000014
【図１３】
2006142127.tif 000015